(57)【要約】【課題】  抽選結果を報知するための回転ドラム式表示装置に新規な機能を持たせることにより、遊技者に対して新たな興趣を喚起することのできる斬新なパチンコ遊技機を提供する。【解決手段】  左，右内ドラム２１１Ｌ，２１１Ｒの内部にはワープルート４０Ｌ，４０Ｒを介して導入された玉Ｂを貯留する貯留部２１ｇがそれぞれ形成され、各ドラム２１２Ｌ，２１Ｃ，２１２Ｒの外周面には複数の図柄がそれぞれ配置されている。そして、計５個のドラム２１１Ｌ，２１２Ｌ，２１Ｃ，２１１Ｒ，２１２Ｒは、計５個のモータ２２１Ｌ，２２２Ｌ，２２Ｃ，２２１Ｒ，２２２Ｒにより各々独立して回転可能に配置されている。【選択図】  図５
2008054993.tif 000002
【特許請求の範囲】
【請求項１】
所定条件の成立に基づいて抽選処理を実行する抽選手段と、
遊技領域に配置された筒状のドラムが軸線周りで回転してその外周面に配置された複数の図柄を変動表示し、所定の図柄を停止表示することにより前記抽選手段による抽選結果を表示する回転ドラム式表示装置と、
前記遊技領域に配置され、その遊技領域を流下する遊技球が進入可能な玉誘導通路と、を備え、
前記ドラムの一端側に軸線方向に貫通する入口側開口が形成されるとともに、他端側に軸線方向に貫通する出口側開口が形成され、前記玉誘導通路の出口が前記ドラムの入口側開口に臨むように配置されて、前記遊技領域から前記玉誘導通路を介し前記入口側開口を通じて前記ドラム内に貯留された遊技球が、前記抽選結果に基づいてそのドラムの出口側開口より前記遊技領域に放出されることを特徴とするパチンコ遊技機。
【請求項２】
前記ドラムは周壁部に連設された側壁部で少なくとも部分的に閉鎖されてそのドラムの内部に遊技球の貯留部が形成されるとともに、
前記ドラムの出口側開口は、前記側壁部において半径方向外側に向って切除された１又は複数の切欠部によって形成されている請求項１に記載のパチンコ遊技機。
【請求項３】
前記遊技領域には、前記回転ドラム式表示装置の下方において、前記抽選手段による抽選結果に基づいて開放される可変入賞装置が配置され、
その抽選結果に基づいて前記ドラムの出口側開口を開放するとともに前記可変入賞装置を開放し、そのドラム内に貯留された遊技球を前記可変入賞装置へ向けて放出する請求項１又は２に記載のパチンコ遊技機。
【請求項４】
前記回転ドラム式表示装置は複数のドラムが軸線方向に沿って一列状に配置されており、それら複数のドラムのうち両端に位置する端部ドラムの外側端面に前記入口側開口がそれぞれ形成されるとともに、それら端部ドラムの内側端面に前記出口側開口がそれぞれ形成され、
前記玉誘導通路は、前記端部ドラムの外側にそれぞれ位置して、各々の出口がそれら端部ドラムの入口側開口にそれぞれ臨むように一対配置され、
前記遊技領域を流下する遊技球は、各玉誘導通路を介し各入口側開口を通じて各端部ドラム内に貯留される請求項１ないし３のいずれか１項に記載のパチンコ遊技機。
【請求項５】
前記ドラムは互いに径の異なる内側ドラムと外側ドラムとが、軸線を共通にして内外二重に重ね合わせる形態で、かつ前記内側ドラムには遊技球を貯留し前記外側ドラムには図柄を表示するように、各々独立して回転可能に配置され、
前記内側ドラム及び外側ドラムの一端側には前記入口側開口がそれぞれ形成されるとともに、それら両ドラムの他端側には前記出口側開口がそれぞれ形成され、
前記内側ドラムは周壁部に連設された側壁部で少なくとも部分的に閉鎖されてその内側ドラムの内部に遊技球の貯留部が形成され、
前記内側ドラムの出口側開口は、前記側壁部において半径方向外側に向って切除された１又は複数の切欠部によって形成されている請求項１ないし４のいずれか１項に記載のパチンコ遊技機。
【発明の詳細な説明】
【技術分野】
【０００１】
本発明は、パチンコ遊技機に関する。
【背景技術】
【０００２】
例えば、一般によく知られた「セブン機」と称されるパチンコ遊技機では、スタートチャッカー（始動チャッカー、始動入賞口ともいう）やスルーチャッカー（始動ゲートともいう）に入賞すると、乱数抽選（大当たり抽選）による抽選処理が実行される。その抽選結果に基づいて、１又は複数（例えば３桁）の図柄表示領域に配置されるドラム式表示部（可変表示手段）は、図柄を所定時間にわたり変動表示した後確定表示（停止表示）する。さらに、ドラム式表示部が大当たり図柄（例えば、「７７７」等の３桁のゾロ目）を確定表示すると大当たりが発生（発動）する（特許文献１参照）。
【０００３】
【特許文献１】特開２００２−２３３６２１号公報
【０００４】
従来より可変表示手段は抽選結果を図柄表示して遊技者に報知することが主たる機能であって、このことは可変表示手段が液晶表示部である場合と、特許文献１に示すようなドラム式表示部である場合とで変わることはない。このため、可変表示手段（ドラム式表示部）は抽選結果を図柄表示するときには注目されるが、例え遊技中であっても図柄表示するとき以外の注目度は低くなる傾向がある。特に、特許文献１のようなドラム式表示部では液晶表示部のように図柄表示の他に演出表示を行う（兼ねる）には限度があり、単に図柄表示を行うだけであると、遊技者には表示内容ひいては遊技全体が単調に感じられるおそれが大きい。
【発明の開示】
【発明が解決しようとする課題】
【０００５】
本発明の課題は、抽選結果を報知するための回転ドラム式表示装置に新規な機能を持たせることにより、遊技者に対して新たな興趣を喚起することのできる斬新なパチンコ遊技機を提供することにある。
【課題を解決するための手段及び発明の効果】
【０００６】
上記課題を解決するために、本発明のパチンコ遊技機は、
所定条件の成立に基づいて抽選処理を実行する抽選手段と、
遊技領域に配置された筒状のドラムが軸線周りで回転してその外周面に配置された複数の図柄を変動表示し、所定の図柄を停止表示することにより前記抽選手段による抽選結果を表示する回転ドラム式表示装置と、
前記遊技領域に配置され、その遊技領域を流下する遊技球が進入可能な玉誘導通路と、を備え、
前記ドラムの一端側に軸線方向に貫通する入口側開口が形成されるとともに、他端側に軸線方向に貫通する出口側開口が形成され、前記玉誘導通路の出口が前記ドラムの入口側開口に臨むように配置されて、前記遊技領域から前記玉誘導通路を介し前記入口側開口を通じて前記ドラム内に貯留された遊技球が、前記抽選結果に基づいてそのドラムの出口側開口より前記遊技領域に放出されることを特徴とする。
【０００７】
このパチンコ遊技機では、外周面に図柄が配置されたドラムを備えた回転ドラム式表示装置が設けられており、遊技領域を流下する遊技球のうち一部のものは、玉誘導通路を介してそのドラムの一端側（入口側開口）へ導入され、その内部に貯留されて他端側（出口側開口）より放出される。そして、抽選結果を表示するためのドラムの回転とは関係なく遊技球はドラム内に貯留されるので、ドラムが回転していないときにも回転ドラム式表示装置に対する注目度を高めることができる。これによって、抽選結果を報知するための回転ドラム式表示装置は、遊技球の貯留部としての新規な機能を備えることになり、遊技者に対して新たな興趣を喚起することができる。さらに、このようなドラム内への遊技球の貯留と併せて、抽選結果を表示するためにドラムが回転すると、遊技者は回転ドラム式表示装置から目が離せなくなって、注目度はさらに上昇する。
【０００８】
そしてまた、このような場合には、
所定条件の成立に基づいて抽選処理を実行し、その抽選結果を表示して遊技者に報知するパチンコ遊技機において、
遊技領域に配置された筒状のドラムが軸線周りで回転してその外周面に配置された複数の図柄を変動表示した後所定の図柄で停止表示することにより前記抽選結果を報知するとともに、前記ドラムの一端側には軸線方向に貫通する入口側開口が形成され、かつ他端側には軸線方向に貫通する出口側開口が形成されることにより遊技球の内部への貯留及び外部への放出を許容する回転ドラム式表示装置と、
前記遊技領域を流下する遊技球を前記回転ドラム式表示装置のドラムの一端側に形成された入口側開口に導入するための玉誘導通路とを備え、
前記遊技領域から前記玉誘導通路を介し前記ドラムの入口側開口を通じて前記回転ドラム式表示装置の内部に導入された遊技球が、前記抽選結果を表示するための当該ドラムの回転とは無関係に、その回転ドラム式表示装置の内部に貯留され、前記ドラムの出口側開口より前記遊技領域に放出可能とされていてもよい。
【０００９】
なお、回転ドラム式表示装置が単体のドラム又は複数のドラムを有し、これらのドラムが透光性を有する材料（例えば透明又は半透明樹脂材料）で構成されていると、ドラムの内部に貯留される遊技球を遊技者が視認しやすくなって、興趣を一層高めることができる。また、ドラムの内周面を、入口側開口から出口側開口に向かうにつれて拡径する拡径面（例えばテーパ面）に形成すれば、玉誘導通路を介して導入された遊技球はドラムの入口側開口で停滞することなく内部に貯留されるとともに、出口側開口で停滞することなく円滑に放出される。
【００１０】
具体的には、ドラムは周壁部に連設された側壁部で少なくとも部分的に閉鎖されてそのドラムの内部に遊技球の貯留部が形成されるとともに、ドラムの出口側開口を、側壁部において半径方向外側に向って切除された１又は複数の切欠部によって形成することができる。これにより、ドラムの回転によって切欠部の周方向位置を変更すれば、玉誘導通路を介して導入された遊技球をドラム内部の貯留部に貯留する状態と、貯留部に貯留された遊技球を切欠部（出口側開口）から遊技領域に放出する状態とに、容易に切り換えることができる。
【００１１】
その際遊技領域には、回転ドラム式表示装置の下方において、抽選手段による抽選結果に基づいて開放される可変入賞装置が配置され、その抽選結果に基づいて可変入賞装置を開放するとともにドラムの出口側開口を開放し、そのドラム内に貯留された遊技球を可変入賞装置へ向けて放出してもよい。これにより、例えば抽選結果が大当たりに当選した場合には、可変表示装置としての大入賞口を開放するとともにそれと同期してドラムの出口側開口を開放することによって、ドラム内に貯留されていた遊技球を大入賞口に一斉に入賞させ、短時間に大量の賞球を獲得することができるので、遊技に対する興趣が高められる。なお、可変入賞装置を大入賞口で構成する場合、放出された遊技球が大入賞口に到達する時間を考慮して、出口側開口の開放から所定時間経過後に大入賞口を開放することが望ましい。
【００１２】
そして、ドラムの出口側開口はそのドラムが抽選手段による特定の抽選結果を表示するために停止したときにのみ開放されて、そのドラム内に貯留された遊技球が遊技領域に放出されることが望ましい。このように、特定の抽選結果を停止表示したときにドラムの出口側開口が開放されるので、ドラム内に貯留されていた遊技球は円滑に遊技領域に放出され、ドラム内部での詰り等が発生しにくい。なお、「特定の抽選結果」として、上記した大当たりを用いることができるが、例えば大当たりよりも当選規模の小さい「小当たり」等を別に設定してもよい。「小当たり」は、大当たりよりも可変入賞装置を開放動作する回数が少なく、開放している時間も短いが、大当たりよりも当選確率は高く設定されているため、「小当たり」により可変入賞装置を動作するタイミングに合わせてドラム内に貯留した遊技球を放出することで、短い時間により多くの遊技球を入賞させることができるようになり、遊技者の負担を補填することが可能になる。
【００１３】
また、回転ドラム式表示装置は複数のドラムが軸線方向に沿って一列状に配置されており、それら複数のドラムのうち両端に位置する端部ドラムの外側端面に入口側開口がそれぞれ形成されるとともに、それら端部ドラムの内側端面に出口側開口がそれぞれ形成され、
玉誘導通路は、端部ドラムの外側にそれぞれ位置して、各々の出口がそれら端部ドラムの入口側開口にそれぞれ臨むように一対配置され、
遊技領域を流下する遊技球は、各玉誘導通路を介し各入口側開口を通じて各端部ドラム内に貯留されるようにしてもよい。
【００１４】
このように、両側の玉誘導通路を介して各端部ドラムの入口側開口に導入された遊技球が、次々に各端部ドラムの内部に貯留されそのドラムの出口側開口から放出される。これによって、発射の強弱にかかわらず回転ドラム式表示装置の両側の遊技領域では、あたかも運動会の玉入れ競技のように、遊技球が各々の端部ドラムに貯留され放出される様子がそれぞれ展開されるので、遊技に対する興趣が一層高められる。
【００１５】
なお、一列状に配置される複数ドラムの軸線方向が遊技盤に沿って水平方向に配置されていると、遊技者は両側の端部ドラムの内部に貯留され放出される遊技球をじっくりと同時に観察することができる。また、各端部ドラムの外周面に特定の抽選結果を表示するための特定図柄を配置し、その特定図柄を停止表示したときにその端部ドラムの出口側開口を開放する場合には、例えば、端部ドラムのいずれかが特定図柄で停止表示したときや、全ドラムが大当たり図柄で停止表示したときによって遊技の状況が大きく変化するので、ダイナミックで躍動感に溢れた遊技を提供することができる。
【００１６】
さらに、ドラムは互いに径の異なる内側ドラムと外側ドラムとが、軸線を共通にして内外二重に重ね合わせる形態で、かつ内側ドラムには遊技球を貯留し外側ドラムには図柄を表示するように、各々独立して回転可能に配置され、
内側ドラム及び外側ドラムの一端側には入口側開口がそれぞれ形成されるとともに、それら両ドラムの他端側には出口側開口がそれぞれ形成され、
内側ドラムは周壁部に連設された側壁部で少なくとも部分的に閉鎖されてその内側ドラムの内部に遊技球の貯留部が形成され、
内側ドラムの出口側開口を、側壁部において半径方向外側に向って切除された１又は複数の切欠部によって形成することができる。
【００１７】
このような内外二重ドラムを採用すれば、内側ドラムでは遊技球の貯留、外側ドラムでは図柄の表示と、機能を分担することにより、内外のドラムを個別に駆動させて一層複雑で興味を引く作動（回転）が可能となる。また、内側ドラムの回転によって切欠部の周方向位置を変更すれば、玉誘導通路を介して導入された遊技球を内側ドラム内部の貯留部に貯留する状態と、貯留部に貯留された遊技球を切欠部（出口側開口）から遊技領域に放出する状態とに、容易に切り換えることができる。なお、一列状に配置された複数のドラムのうち両端に位置する端部ドラムを内外二重ドラムで構成するときには、一層ダイナミックで躍動感に溢れた遊技を展開することができる。
【発明を実施するための最良の形態】
【００１８】
（実施例１）
以下、本発明の実施の形態につき図面に示す実施例を参照して説明する。図１は、本発明に係るパチンコ遊技機の一例を示す正面模式図、図２は中央役物の正面図である。図１に示すパチンコ遊技機１は、台枠の内側に配置されてガラス扉２によって覆われる遊技盤を有する。遊技盤には、円形状の遊技領域３が形成されている。遊技領域３の下方には、玉供給皿４が設けられている。玉供給皿４に準備された玉（遊技球；遊技媒体）は、発射ハンドル５を含んで構成される発射装置１１０（図１０参照）によって遊技領域３に向けて発射される。遊技領域３には釘３ａが多数植設されているので、レール（図示省略）を通じて遊技盤の遊技領域３に達した玉は、それらの釘３ａに弾かれながら遊技領域３を落下する。なお、１０２はスピーカ、１０３は装飾ランプ類を示す（図１０参照）。
【００１９】
遊技領域３の中央付近には中央役物１０が配設されている。中央役物１０は、所定条件の成立に基づいて実行される抽選処理の結果を表示して遊技者に報知するための回転ドラム式表示装置（以下、単に表示装置ともいう）２０と、遊技領域３を流下する玉を表示装置２０の内部に導入するための左右一対のワープルート４０Ｌ，４０Ｒ（玉誘導通路）と、表示装置２０の内部から放出される玉を遊技領域３に戻すためのステージ５０（導出案内部）とを備える。
【００２０】
中央役物１０の下方には、開閉する一対の回動翼片１２ａ，１２ａを有する電動チューリップ（以下、電チューともいう）１２（始動入賞装置；可変入賞装置；スタートチャッカー）が配置されている。その電チュー１２の下方には、電チュー１２への入賞に基づいて実行される内部抽選において大当たりに当選したときに開放する第１大入賞装置１３（可変入賞装置；大当たり用アタッカー）が設けられている。また、中央役物１０と電チュー１２との間には、上記内部抽選において小当たり（大当たりとは異なる特定の抽選結果を意味する）に当選したときに開放する第２大入賞装置１４（可変入賞装置；小当たり用アタッカー）が設けられている。さらに、中央役物１０の左側には、玉が通過したとき電チュー１２を所定の時間及び回数（例えば０．５秒間で１回）だけ開放するための通過ゲート１１（スルーチャッカー）が配置されている。なお、符号１５は上記内部抽選の抽選結果を所定数（例えば最大４個）保留していることを示す図柄保留表示部、１６は玉を回収するための玉排出口を示す。
【００２１】
図２に示すように、表示装置２０には、透明樹脂材料のように透光性を有する複数（例えば３個）の円筒状のドラム２１Ｌ，２１Ｃ，２１Ｒが、遊技盤に平行状で左右方向に延びる軸線Ｏに沿って一列状に配置されている。左，中，右の各ドラム２１Ｌ，２１Ｃ，２１Ｒのうち左右両端に位置する左，右のドラム２１Ｌ，２１Ｒ（端部ドラム）は、互いに径の異なる内側ドラム２１１Ｌ，２１１Ｒと外側ドラム２１２Ｌ，２１２Ｒとが、軸線Ｏを共通にして内外二重に重ね合わせる形態で配置されている（図５参照）。一方、中央に位置する中ドラム２１Ｃは、単一（一重）のドラムで構成・配置されている。
【００２２】
図５に示すように、左，右内ドラム２１１Ｌ，２１１Ｒの内部には、遊技領域３（図１参照）からワープルート４０Ｌ，４０Ｒを介して導入された玉Ｂを一時的に貯留することのできる貯留部２１ｇがそれぞれ形成されている。そして、左，右内ドラム２１１Ｌ，２１１Ｒは、各内ドラム用のステッピングモータ（以下、ドラム用モータともいう）２２１Ｌ，２２１Ｒの内ドラム用出力軸２１１ａ（回転軸）に連結されて軸線Ｏ周りに回転する。また、左，右外ドラム２１２Ｌ，２１２Ｒは、各外ドラム用のステッピングモータ（以下、ドラム用モータともいう）２２２Ｌ，２２２Ｒの外ドラム用出力軸２１２ａ（回転軸）に連結されて軸線Ｏ周りに回転する。一方、中ドラム２１Ｃは、ドラム用のステッピングモータ（以下、ドラム用モータともいう）２２Ｃの出力軸２１ａ（回転軸）に連結されて軸線Ｏ周りに回転する。
【００２３】
各ドラム２１２Ｌ，２１Ｃ，２１２Ｒの外周面には図３に示す図柄がそれぞれ配置されている。なお、各ドラム２１２Ｌ，２１Ｃ，２１２Ｒは、左右の幅（円筒の高さ）がほぼ同一に設定されている。
【００２４】
図２に戻り、表示装置２０には、３列の図柄（例えば、３桁のアラビア数字等）を上下２段又は１段に表示して遊技者に抽選結果を報知するための表示窓２０ａ（図柄表示領域）が形成されている。これによって、３個のドラム２１２Ｌ，２１Ｃ，２１２Ｒが、ドラム用モータ２２２Ｌ，２２Ｃ，２２２Ｒにより軸線Ｏ周りで各々回転して複数の図柄を変動表示した後、所定の図柄を表示窓２０ａに停止表示することにより抽選結果（当否）を報知する。
【００２５】
例えば、これらのドラム２１２Ｌ，２１Ｃ，２１２Ｒが、表示窓２０ａに示す上段横並び、中段横並び、下段横並び、斜め右上がり、斜め右下がりの５ライン（有効ライン）のうちのいずれかにおいて、３桁の「大当たり図柄」（例えば「７７７」等のゾロ目）で停止表示すると、後述する「大当たり状態」となる。一方、左外ドラム２１２Ｌ及び／又は右外ドラム２１２Ｒが「小当たり図柄」（例えば「小当」の文字表示２１２ｈ；図３参照）で停止表示すると、後述する「小当たり状態」となる。
【００２６】
このように、左，右内ドラム２１１Ｌ，２１１Ｒの内部にはワープルート４０Ｌ，４０Ｒを介して導入された玉Ｂを貯留する貯留部２１ｇがそれぞれ形成され、各ドラム２１２Ｌ，２１Ｃ，２１２Ｒの外周面には複数の図柄がそれぞれ配置されている。そして、計５個のドラム２１１Ｌ，２１２Ｌ，２１Ｃ，２１１Ｒ，２１２Ｒは、計５個のモータ２２１Ｌ，２２２Ｌ，２２Ｃ，２２１Ｒ，２２２Ｒにより各々独立して回転可能に配置されている。
【００２７】
図５〜図８により、各ドラム２１１Ｌ，２１２Ｌ，２１Ｃ，２１１Ｒ，２１２Ｒの詳細構造についてさらに具体的に説明する。図６〜図８に示すように、各ドラム２１１Ｌ，２１２Ｌ，２１Ｃ，２１１Ｒ，２１２Ｒには、基本構造として、中央のボス部２１ｃから半径方向外側に延びるアーム部２１ｄを介して周縁のリム部２１ｅ（周壁部）が連設されている。アーム部２１ｄはボス部２１ｃとリム部２１ｅとを、周方向に沿って所定の間隔（例えば等間隔）に配置された複数個所（例えば４ヶ所）で連結している。
【００２８】
図６（ｂ）に示す左外ドラム２１２Ｌの外側端面（左側端面）には、円形状の外ドラム用入口側開口２１２ｂ（入口側開口）が軸線方向に全面的に貫通形成されるとともに、その内側端面（右側端面）には、円形状の外ドラム用出口側開口２１２ｆ（出口側開口）が軸線方向に全面的に貫通形成されている。なお、既に述べたように、左外ドラム２１２Ｌの内側端面（右側端面）では、外ドラム用出口側開口２１２ｆにおいて、４本のアーム部２１ｄがボス部２１ｃとリム部２１ｅとをそれぞれ連結している。
【００２９】
図６（ａ）に示すように、左内ドラム２１１Ｌは、その外側端面（左側端面）がリム部２１ｅに連設された入口側壁部２１ｂ’（側壁部）で部分的に閉鎖され、その内側端面（右側端面）がリム部２１ｅに連設された出口側壁部２１ｆ’（側壁部）で部分的に閉鎖されて、内部に玉Ｂの貯留部２１ｇが形成されている。左内ドラム２１１Ｌの外側端面（左側端面）には、入口側壁部２１ｂ’を除く形で、円形状の内ドラム用入口側開口２１１ｂ（入口側開口）が軸線方向に貫通形成されている。左内ドラム２１１Ｌの内側端面（右側端面）には、出口側壁部２１ｆ’において半径方向外側に向って切り欠かれた切欠部２１１ｆ（内ドラム用出口側開口；出口側開口）が、周方向に沿って所定の間隔（例えば等間隔）で複数（例えば４個）形成されている。
【００３０】
なお、既に述べたように、左内ドラム２１１Ｌの内側端面（右側端面）では、出口側壁部２１ｆ’を除く貫通孔部分において、４本のアーム部２１ｄがボス部２１ｃとリム部２１ｅとをそれぞれ連結している。また、図５に示すように、左内ドラム２１１Ｌのリム部２１ｅの内周面は外側端面（内ドラム用入口側開口２１１ｂ）から内側端面（切欠部２１１ｆ）に向かうにつれて拡径するテーパ面（拡径面）に形成されている。これによって、左内ドラム２１１Ｌの外側端面に形成された内ドラム用入口側開口２１１ｂから導入された玉Ｂは、貯留部２１ｇに一時的に貯留された後、左内ドラム２１１Ｌの内側端面に形成された切欠部２１１ｆから放出可能である。
【００３１】
図７に示すように、中ドラム２１Ｃは、その左側端面がリム部２１ｅに連設された側壁部２１ｂ”で部分的に閉鎖され、その右側端面がリム部２１ｅに連設された側壁部２１ｆ”で部分的に閉鎖されて、端部ドラム２１Ｌ，２１Ｒから放出された玉Ｂが中ドラム２１Ｃ内に侵入しないように防護している。なお、既に述べたように、中ドラム２１Ｃの右側端面では、側壁部２１ｆ”を除く貫通孔部分において、４本のアーム部２１ｄがボス部２１ｃとリム部２１ｅとをそれぞれ連結している。
【００３２】
図８（ｂ）に示す右外ドラム２１２Ｒの外側端面（右側端面）には、円形状の外ドラム用入口側開口２１２ｂ（入口側開口）が軸線方向に全面的に貫通形成されるとともに、その内側端面（左側端面）には、円形状の外ドラム用出口側開口２１２ｆ（出口側開口）が軸線方向に全面的に貫通形成されている。なお、既に述べたように、右外ドラム２１２Ｒの内側端面（左側端面）では、外ドラム用出口側開口２１２ｆにおいて、４本のアーム部２１ｄがボス部２１ｃとリム部２１ｅとをそれぞれ連結している。
【００３３】
図８（ａ）に示すように、右内ドラム２１１Ｒは、その外側端面（右側端面）がリム部２１ｅに連設された入口側壁部２１ｂ’（側壁部）で部分的に閉鎖され、その内側端面（左側端面）がリム部２１ｅに連設された出口側壁部２１ｆ’（側壁部）で部分的に閉鎖されて、内部に玉Ｂの貯留部２１ｇが形成されている。右内ドラム２１１Ｒの外側端面（右側端面）には、入口側壁部２１ｂ’を除く形で、円形状の内ドラム用入口側開口２１１ｂ（入口側開口）が軸線方向に貫通形成されている。右内ドラム２１１Ｒの内側端面（左側端面）には、出口側壁部２１ｆ’において半径方向外側に向って切り欠かれた切欠部２１１ｆ（内ドラム用出口側開口；出口側開口）が、周方向に沿って所定の間隔（例えば等間隔）で複数（例えば４個）形成されている。
【００３４】
なお、既に述べたように、右内ドラム２１１Ｒの内側端面（左側端面）では、出口側壁部２１ｆ’を除く貫通孔部分において、４本のアーム部２１ｄがボス部２１ｃとリム部２１ｅとをそれぞれ連結している。また、図５に示すように、右内ドラム２１１Ｒのリム部２１ｅの内周面は外側端面（内ドラム用入口側開口２１１ｂ）から内側端面（切欠部２１１ｆ）に向かうにつれて拡径するテーパ面（拡径面）に形成されている。これによって、右内ドラム２１１Ｒの外側端面に形成された内ドラム用入口側開口２１１ｂから導入された玉Ｂは、貯留部２１ｇに一時的に貯留された後、右内ドラム２１１Ｒの内側端面に形成された切欠部２１１ｆから放出可能である。
【００３５】
図５に示すように、ドラム用モータ２２１Ｌ，２２２Ｌ，２２Ｃ，２２１Ｒ，２２２Ｒはそれぞれ中央役物１０の枠体１０ａに保持された各ドラム用ステー２５Ｌ，２５Ｃ，２５Ｒに固定され、ドラム用モータ２２１Ｌ，２２２Ｌ，２２１Ｒ，２２２Ｒの内ドラム用出力軸２１１ａ及び外ドラム用出力軸２１２ａと、ドラム用モータ２２Ｃの出力軸２１ａに各ドラム２１１Ｌ，２１２Ｌ，２１Ｃ，２１１Ｒ，２１２Ｒのボス部２１ｃが固定されている。また、図４に示すように、各ドラム用ステー２５Ｌ，２５Ｃ，２５Ｒには、白色ＬＥＤ等のドラム用バックライト２４Ｌ，２４Ｃ，２４Ｒがそれぞれ固定され、これらのドラム用バックライト２４Ｌ，２４Ｃ，２４Ｒは、例えば透光性で乳白色のケース体２４ａで覆われている。ドラム２１２Ｌ，２１Ｃ，２１２Ｒの外周面の図柄とドラム用バックライト２４Ｌ，２４Ｃ，２４Ｒとの間にケース体２４ａが位置することにより、遊技者は、表示窓２０ａ（図２参照）に表示されかつ内側から照明された図柄をはっきりと認識できる。
【００３６】
各ドラム用モータ２２１Ｌ，２２２Ｌ，２２Ｃ，２２１Ｒ，２２２Ｒは、周知技術のステッピングモータ（例えば特開４００１−５８０２６号公報や特開４００４−２５４９７４号公報に開示されているステッピングモータ）を採用しており、各ドラム２１１Ｌ，２１２Ｌ，２１Ｃ，２１１Ｒ，２１２Ｒを互いに独立に回転制御するために、各ドラム用基準位置検出センサ２３１Ｌ，２３２Ｌ，２３Ｃ，２３１Ｒ，２３２Ｒをそれぞれ内蔵している。各ドラム２１１Ｌ，２１２Ｌ，２１Ｃ，２１１Ｒ，２１２Ｒには回転基準位置が設けられており、各ドラム２１１Ｌ，２１２Ｌ，２１Ｃ，２１１Ｒ，２１２Ｒが１回転するうちに対応する各ドラム用基準位置検出センサ２３１Ｌ，２３２Ｌ，２３Ｃ，２３１Ｒ，２３２Ｒがこの回転基準位置を検出し、検出信号を出力する。
【００３７】
図２及び図５に示すように、左ワープルート４０Ｌは、遊技領域３（図１参照）を流下する玉Ｂを左外ドラム２１２Ｌの外ドラム用入口側開口２１２ｂ及び左内ドラム２１１Ｌの内ドラム用入口側開口２１１ｂを通って左内ドラム２１１Ｌの貯留部２１ｇに導入する。同様に、右ワープルート４０Ｒは、遊技領域３（図１参照）を流下する玉Ｂを右外ドラム２１２Ｒの外ドラム用入口側開口２１２ｂ及び右内ドラム２１１Ｒの内ドラム用入口側開口２１１ｂを通って右内ドラム２１１Ｒの貯留部２１ｇに導入する。
【００３８】
図２、図４及び図５に示すように、ステージ５０は、表示装置２０の下方において、後方側（遊技盤側）よりも前方側（遊技者側）の方が低くなるように表面全体が傾斜するとともに、正面（遊技者側）から見て波打つように連続的に形成された第１スロープ５１（段差部）を有する。具体的には、第１スロープ５１は、左，中，右ドラム２１Ｌ，２１Ｃ，２１Ｒの下方に平坦状の高原部５１ａ（平面部）がそれぞれ位置し、各ドラム２１Ｌ，２１Ｃ，２１Ｒの中間部下方に三角溝状の谷底部５１ｂ（凹部）が位置するように、表示装置２０の軸線Ｏ方向に沿って形成されている。
【００３９】
また、ステージ５０は、第１スロープ５１よりもさらに低い位置でその第１スロープ５１の前方に位置する第２スロープ５２（案内部）を有する。具体的には、第２スロープ５２は、左右方向の中央部ほど低くなる勾配部５２ａと、中ドラム２１Ｃの中央に一致するように、勾配部５２ａの最低位置において前後方向に形成されたＵ溝状の案内路５２ｂとを有する。この案内路５２ｂは第２大入賞装置１４の直上に位置している（図１参照）。
【００４０】
図９（ａ）に示すように、通常の遊技状態において、左内ドラム２１１Ｌ（右内ドラム２１１Ｒ）は、内側端面に形成された４個の切欠部２１１ｆが斜め（たすき掛け状）に位置するように停止している。したがって、左ワープルート４０Ｌ（右ワープルート４０Ｒ）を介して導入された玉Ｂは貯留部２１ｇに貯留される。図９（ｂ）に示すように、小当たり状態において、左内ドラム２１１Ｌ（右内ドラム２１１Ｒ）はいずれかの方向に約４５°回転し、４個の切欠部２１１ｆが上下左右（十字状）に位置することにより、いずれかの切欠部２１１ｆが最下位置で停止する。これによって、貯留部２１ｇに貯留された玉Ｂは最下位置の切欠部２１１ｆから放出される。なお、このとき左外ドラム２１２Ｌ（右外ドラム２１２Ｒ）のいずれかのアーム部２１ｄが最下位置の切欠部２１１ｆを塞がないように、左外ドラム２１２Ｌ（右外ドラム２１２Ｒ）は左内ドラム２１１Ｌ（右内ドラム２１１Ｒ）に対して、互いのアーム部２１ｄが重なり合う位置で停止する（図６（又は図８）参照）。
【００４１】
このようにして、表示装置２０内の玉Ｂが端部ドラム２１Ｌ，２１Ｒの切欠部２１１ｆから放出されると、図２及び図４に示すように、放出された玉Ｂは第１スロープ５１の谷底部５１ｂに沿って手前側に流下して落下する。したがって、第２大入賞装置１４が開放されているときには、第１スロープ５１の谷底部５１ｂから落下する玉Ｂは高確率で第２大入賞装置１４に入賞する（図１参照）。
【００４２】
図１０は、パチンコ遊技機の回路ブロック図である。このパチンコ遊技機１は、主回路１２０が搭載された主制御基板１００と、アンプ／スピーカ１０２，装飾ランプ類１０３及びドラム制御基板１０４を制御する副制御回路（図示せず）が搭載された副制御基板１０１と、各ドラム用基準位置検出センサ２３１Ｌ，２３２Ｌ，２３Ｃ，２３１Ｒ，２３２Ｒからの検出信号を入力するとともに各ドラム用モータ２２１Ｌ，２２２Ｌ，２２Ｃ，２２１Ｒ，２２２Ｒ及び各ドラム用バックライト２４Ｌ，２４Ｃ，２４Ｒを駆動制御するドラム制御回路（図示せず）が搭載されたドラム制御基板１０４と、払出装置１０８及び発射制御基板１０９を制御する払出制御回路（図示せず）が搭載された払出制御基板１０７と、発射装置１１０を制御する発射制御回路（図示せず）が搭載された発射制御基板１０９と、通過ゲート１１に併設されたゲート通過検出器１１１と、電チュー１２に併設された始動入賞検出器１１２と、第１大入賞装置１３に併設された第１大入賞検出器１１３と、第２大入賞装置１４に併設された第２大入賞検出器１１４と、電チュー１２の回動翼片１２ａ，１２ａを開閉する電チューソレノイド１１５と、第１大入賞装置１３を開閉する第１大入賞ソレノイド１１６と、第２大入賞装置１４を開閉する第２大入賞ソレノイド１１７と、各基板に所定電圧を供給する電源回路部１１８とを含んで構成されている。
【００４３】
主回路１２０は、ＣＰＵ（Central Processing Unit）１２１，プログラム格納用のＲＯＭ（Read Only Memory）１２２，ワークエリアや各種カウンタ等が割り当てられるＲＡＭ（Random Access Memory）１２３，入出力インタフェースであるＩ／Ｏ（Input/Output）１２４等を備える。なお、その他の各基板も、個別にＣＰＵ（制御回路）やメモリを備える構成が一般的であるが、図１０では省略している。
【００４４】
副制御基板１０１に搭載された副制御回路は、主回路１２０より入力される音声制御信号に応じてアンプ／スピーカ１０２より音声を出力させる。また、副制御回路は、主回路１２０より入力されるランプ制御信号に応じて装飾ランプ類１０３の点灯／消灯を制御する。さらに、副制御回路は、主回路１２０より入力される図柄変動信号（ドラム回転制御信号）をドラム制御基板１０４に出力する。
【００４５】
ドラム制御基板１０４に搭載されたドラム制御回路は、副制御基板１０１を介して主回路１２０より入力される図柄変動信号（ドラム回転制御信号）に応じて、各ドラム２１１Ｌ，２１２Ｌ，２１Ｃ，２１１Ｒ，２１２Ｒを制御するための処理を実行する。詳しくは、ドラム制御回路は、各ドラム用モータ２２１Ｌ，２２２Ｌ，２２Ｃ，２２１Ｒ，２２２Ｒを駆動制御する。本実施例では、全部で５つのドラム２１１Ｌ，２１２Ｌ，２１Ｃ，２１１Ｒ，２１２Ｒを回転動作させるために５つのドラム用モータ２２１Ｌ，２２２Ｌ，２２Ｃ，２２１Ｒ，２２２Ｒが備えられており、各ドラム２１１Ｌ，２１２Ｌ，２１Ｃ，２１１Ｒ，２１２Ｒと各ドラム用モータ２２１Ｌ，２２２Ｌ，２２Ｃ，２２１Ｒ，２２２Ｒとは１対１で制御されている。
【００４６】
各ドラム２１１Ｌ，２１２Ｌ，２１Ｃ，２１１Ｒ，２１２Ｒには回転基準位置が設けられており、各ドラム２１１Ｌ，２１２Ｌ，２１Ｃ，２１１Ｒ，２１２Ｒが１回転するうちに対応する各ドラム用基準位置検出センサ２３１Ｌ，２３２Ｌ，２３Ｃ，２３１Ｒ，２３２Ｒがこの回転基準位置を検出し、検出信号をドラム制御基板１０４に送信している。したがって、ドラム制御回路は、その検出信号を受信してから回転したステップ数に基づいて現在の各ドラム２１１Ｌ，２１２Ｌ，２１Ｃ，２１１Ｒ，２１２Ｒの回転位置を特定している。また、ドラム制御回路は、各ドラム２１１Ｌ，２１２Ｌ，２１Ｃ，２１１Ｒ，２１２Ｒの各図柄の位置と回転基準位置からのステップ数との関係を全て把握している。したがって、主回路１２０から入力される図柄変動信号に応じて各ドラム用モータ２２１Ｌ，２２２Ｌ，２２Ｃ，２２１Ｒ，２２２Ｒを駆動制御し、所望の変動表示、停止表示を行うことができるようになっている。
【００４７】
払出制御基板１０７に搭載された払出制御回路は、主回路１２０より入力される賞球払出信号に応じて払出装置１０８を制御する。これにより、遊技者に対して所定数の賞球が払い出される。また、払出制御回路は、主回路１２０より入力される発射制御信号を発射制御基板１０９に出力する。
【００４８】
発射制御基板１０９に搭載された発射制御回路は、遊技者が発射ハンドル５（図１参照）を操作することに応じて、発射ハンドル５に対応して設けられた発射装置１１０を作動させる。発射ハンドル５の操作量に応じて、玉の打出し強さ（玉の飛距離）を調節することが可能となっている。
【００４９】
ここで、図１を用いて、パチンコ遊技機１における遊技の流れ（遊技領域３での遊技状態の変化）について概要を説明する。玉Ｂが通過ゲート１１に入球（ゲート通過）してゲート通過検出器１１１で検知されると、電チューソレノイド１１５の励磁により回動翼片１２ａ，１２ａが所定の時間及び回数（例えば０．５秒間で１回）にわたり開口して、電チュー１２に入賞し易くなる。
【００５０】
玉Ｂが電チュー１２に入賞して始動入賞検出器１１２で検知されると、内部抽選テーブルを用いた内部抽選が行われる。この内部抽選において大当たり判定がなされると、表示装置２０において、各桁毎に所定時間にわたり図柄が変動表示された後、３桁の「大当たり図柄」（例えば「７７７」等のゾロ目）が表示窓２０ａのいずれかの有効ラインに確定表示（停止表示）され、「大当たり状態（第１特別遊技状態）」となる。そして、第１大入賞ソレノイド１１６の励磁により第１大入賞装置１３が開放され、遊技領域３を流下する玉Ｂがきわめて入り易い状況をもたらす。第１大入賞装置１３の開放は、第１大入賞検出器１１３による所定数（例えば１０個）の入賞検知又は所定時間（例えば２５秒間）の経過を１ラウンドとして所定ラウンド回数（例えば最高１５回）まで繰り返されるので、このような大当たり状態の間に遊技者は多数の賞球を獲得することができる。
【００５１】
また、上記内部抽選において小当たり判定がなされると、表示装置２０において、左外ドラム２１２Ｌ及び／又は右外ドラム２１２Ｒが「小当たり図柄」（例えば「小当」の文字表示２１２ｈ；図３参照）で停止表示して、「小当たり状態（第２特別遊技状態）」となる。そして、第２大入賞ソレノイド１１７の励磁により第２大入賞装置１４が開放され、玉Ｂが入り易い状況をもたらす。この第２大入賞装置１４の開放は、上記小当たり図柄が停止表示されたドラム（左外ドラム２１２Ｌ及び／又は右外ドラム２１２Ｒ）の貯留部２１ｇ（左内ドラム２１１Ｌ及び／又は右内ドラム２１１Ｒ）に貯留された玉Ｂの放出と連動して実行される。
【００５２】
具体的には、小当たり１に当選した場合には、最初に左外ドラム２１２Ｌで小当たり図柄を表示し、続いて右外ドラム２１２Ｒ、中ドラム２１Ｃの順で数字の図柄をそれぞれ表示して停止する（図３参照）。その後、左内ドラム２１１Ｌをいずれかの方向に約４５°回転し、貯留位置（図９（ａ）参照）から放出位置（図９（ｂ）参照）に移動して停止する。これによって、左内ドラム２１１Ｌの貯留部２１ｇに貯留されていた玉Ｂは切欠部２１１ｆからステージ５０へ放出される（図２参照）。そこで、玉Ｂが切欠部２１１ｆから第２大入賞装置１４に至るまでの経過時間を考慮して、左内ドラム２１１Ｌの放出位置での停止から所定時間（例えば２秒間）経過後に、第２大入賞装置１４を所定時間（例えば１．８秒間）開放する。
【００５３】
次に、小当たり２に当選した場合には、最初に左外ドラム２１２Ｌで数字の図柄を表示し、続いて右外ドラム２１２Ｒで小当たり図柄を表示し、最後に中ドラム２１Ｃで数字の図柄を表示して停止する（図３参照）。その後、右内ドラム２１１Ｒをいずれかの方向に約４５°回転し、貯留位置（図９（ａ）参照）から放出位置（図９（ｂ）参照）に移動して停止する。これによって、右内ドラム２１１Ｒの貯留部２１ｇに貯留されていた玉Ｂは切欠部２１１ｆからステージ５０へ放出される（図２参照）。そこで、玉Ｂが切欠部２１１ｆから第２大入賞装置１４に至るまでの経過時間を考慮して、右内ドラム２１１Ｒの放出位置での停止から所定時間（例えば２秒間）経過後に、第２大入賞装置１４を所定時間（例えば１．８秒間）開放する。
【００５４】
さらに、小当たり３に当選した場合には、はじめに左外ドラム２１２Ｌ、右外ドラム２１２Ｒの順で小当たり図柄をそれぞれ表示し、最後に中ドラム２１Ｃで数字の図柄を表示して停止する（図３参照）。その後、左内ドラム２１１Ｌと右内ドラム２１１Ｒとをいずれかの方向に約４５°ずつ回転し、貯留位置（図９（ａ）参照）から放出位置（図９（ｂ）参照）に移動して停止する。これによって、左内ドラム２１１Ｌ及び右内ドラム２１１Ｒの貯留部２１ｇに貯留されていた玉Ｂは各々の切欠部２１１ｆからステージ５０へ放出される（図２参照）。そこで、玉Ｂが切欠部２１１ｆから第２大入賞装置１４に至るまでの経過時間を考慮して、左内ドラム２１１Ｌ及び右内ドラム２１１Ｒの放出位置での停止から所定時間（例えば２秒間）経過後に、第２大入賞装置１４を所定時間（例えば１．８秒間）開放する。
【００５５】
このように、小当たり１〜３のいずれの小当たり状態でも、第２大入賞装置１４の開放と連動して、左内ドラム２１１Ｌ及び／又は右内ドラム２１１Ｒの貯留部２１ｇに貯留されていた玉Ｂが切欠部２１１ｆから一斉に放出（開放）される。したがって、貯留され放出された玉Ｂを高確率で第２大入賞装置１４に入賞させることができ、貯留数（放出数）に見合った賞球を獲得することができる。しかし、小当たり状態での第２大入賞装置１４の開放時間は相対的に短く設定されているので、開放してから狙って玉Ｂを打ち込んでも第２大入賞装置１４に入賞させることは困難である。また、小当たりに当選しない時間が長くなっても、貯留部２１ｇでの貯留数は非当選の継続時間に比例して増加するので、次回の小当たり当選時に獲得賞球数を挽回することができる。
【００５６】
一般に内部抽選での大当たりの当選確率は低く抑えられている（例えば１／３５０）。そこで、小当たりの当選確率をそれよりも高率に設定（例えば、小当たり１又は２で１／５０、小当たり３で１／１００）すれば、小当たりはなかなか大当たりに当選しない遊技者に対する救済役あるいは補填役として機能する。
【００５７】
次に、このようなパチンコ遊技機の制御について、図１１〜図１７に示すフローチャートに従って説明する。
【００５８】
図１１は始動入賞検知処理を示す。まず、Ｓ１にて始動入賞検出器１１２が電チュー１２への始動入賞を検知したかを確認する。入賞検知の場合（Ｓ１でＹＥＳ）、Ｓ２にて図柄の保留数（図柄保留表示部１５の点灯数；抽選結果の保留数）が４個に達しているか否かを判定する。図柄の保留数が３個以下であれば（Ｓ２でＮＯ）、Ｓ３にて内部抽選を実行し、Ｓ４にてＳ３の内部抽選結果を記憶するとともに、図柄保留表示部１５を新たに１つ点灯し、Ｓ５にて賞球払出指示を行って、リターンする。なお、図柄の保留数が４個に達している場合（Ｓ２でＹＥＳ）には、Ｓ５にて賞球払出指示を行ってリターンする。また、始動入賞検出器１１２が始動入賞を検知していない場合（Ｓ１でＮＯ）には直ちにリターンする。
【００５９】
次に図１２は図柄の呼出処理を示す。Ｓ１１にて図柄の保留数（図柄保留表示部１５の点灯数；抽選結果の保留数）が１個以上あるかを確認する。図柄の保留があれば（Ｓ１１でＹＥＳ）、Ｓ１２にて表示装置２０が図柄の変動表示中であるかを確認する。図柄の変動表示中でなければ（Ｓ１２でＮＯ）、Ｓ１３にて当たりフラグが「０」であるかを判定する。この実施例では、当たりフラグにセットされた数字が内部抽選の抽選結果を表わし（図１３参照）、初期状態（いずれにも当選していない状態）では「０」にセットされているので（Ｓ１３でＹＥＳ）、Ｓ１４にて内部抽選のうち最古の抽選結果を呼び出し、図柄保留表示部１５を１つ消灯する。そして、Ｓ１５の図柄の変動処理サブルーチンを実行してリターンする。なお、図柄の保留がない場合（Ｓ１１でＮＯ）、表示装置２０が図柄の変動表示中の場合（Ｓ１２でＹＥＳ）、及び当たりフラグがいずれかの当選を表わしている場合（Ｓ１３でＮＯ）には、それぞれ直ちに（図柄の変動処理サブルーチンを実行せずに）リターンする。
【００６０】
そして図１３は図柄の変動処理サブルーチンを示す。Ｓ１５１にて、Ｓ１４（図１２）で呼び出した内部抽選の抽選結果の判定を行い、Ｓ１５２にて図柄変動時間及び停止図柄を決定する。さらに、Ｓ１５３にて各ドラム２１２Ｌ，２１Ｃ，２１２Ｒを回転して図柄変動を開始するとともに変動タイマの作動を開始する。ただし、左，右内ドラム２１１Ｌ，２１１Ｒは回転を停止している。次に、Ｓ１５４にて図柄変動時間が経過したかをチェックする。図柄変動時間が経過していれば（Ｓ１５４でＹＥＳ）、Ｓ１５５にて左外ドラム２１２Ｌ→右外ドラム２１２Ｒ→中ドラム２１Ｃの順で図柄変動を停止し、Ｓ１５６にて左外ドラム２１２Ｌの停止図柄が上記した小当たり図柄と一致するかを判定する。左外ドラム２１２Ｌの停止図柄が小当たり図柄と一致すれば（Ｓ１５６でＹＥＳ）、Ｓ１５７にて右外ドラム２１２Ｒの停止図柄が上記した小当たり図柄と一致するかを判定する。右外ドラム２１２Ｒの停止図柄が小当たり図柄と一致しなければ（Ｓ１５７でＮＯ）、Ｓ１５８にて当たりフラグに「１」をセットしてリターンする。右外ドラム２１２Ｒの停止図柄が小当たり図柄と一致すれば（Ｓ１５７でＹＥＳ）、Ｓ１５９にて当たりフラグに「３」をセットしてリターンする。
【００６１】
一方、左外ドラム２１２Ｌの停止図柄が小当たり図柄と一致していない場合（Ｓ１５６でＮＯ）、Ｓ１６０にて右外ドラム２１２Ｒの停止図柄が上記した小当たり図柄と一致するかを判定する。右外ドラム２１２Ｒの停止図柄が小当たり図柄と一致すれば（Ｓ１６０でＹＥＳ）、Ｓ１６１にて当たりフラグに「２」をセットしてリターンする。右外ドラム２１２Ｒの停止図柄が小当たり図柄と一致していない場合（Ｓ１６０でＮＯ）、Ｓ１６２にて停止図柄が上記した大当たり図柄と一致するかを判定する。停止図柄が大当たり図柄と一致すれば（Ｓ１６２でＹＥＳ）、Ｓ１６３にて当たりフラグに「９」をセットしてリターンする。なお、停止図柄が大当たり図柄とも一致しなければ（Ｓ１６２でＮＯ）、いずれにも当選していない状態なので何もせずに（当たりフラグは初期状態「０」のままで）リターンする。
【００６２】
続いて図１４は小当たり１処理を示す。Ｓ２１１にて当たりフラグに「１」がセットされているかを判定する。左外ドラム２１２Ｌの停止図柄のみが小当たり図柄と一致するときに当たりフラグに「１」がセット（図１３のＳ１５８）されているので（Ｓ２１１でＹＥＳ）、Ｓ２１２にて左内ドラム２１１Ｌをいずれかの方向に約４５°回転するように指示する。これによって左内ドラム２１１Ｌは、貯留位置（図９（ａ）参照）から放出位置（図９（ｂ）参照）に移動して停止するので、貯留部２１ｇに貯留されていた玉Ｂは切欠部２１１ｆからステージ５０へ放出される。そこで、Ｓ２１３にて左内ドラム２１１Ｌの回転停止から２秒間が経過したことを確認した後（Ｓ２１３でＹＥＳ）、Ｓ２１４にて第２大入賞装置１４を開放する。そして、Ｓ２１５にて第２大入賞装置１４の開放から１．８秒間が経過したことを確認した後（Ｓ２１５でＹＥＳ）、Ｓ２１６にて第２大入賞装置１４を閉鎖し、Ｓ２１７にて左内ドラム２１１Ｌをいずれかの方向に約４５°回転するように指示する。これによって左内ドラム２１１Ｌは、放出位置（図９（ｂ）参照）から貯留位置（図９（ａ）参照）に復帰して停止するので、玉Ｂは貯留部２１ｇに貯留可能となる。さらにＳ２１８にて、当たりフラグに「０」をセットしてからリターンする。なお、当たりフラグが「１」にセットされていなければ（Ｓ２１１でＮＯ）、直ちにリターンする。
【００６３】
続いて図１５は小当たり２処理を示す。Ｓ２２１にて当たりフラグに「２」がセットされているかを判定する。右外ドラム２１２Ｒの停止図柄のみが小当たり図柄と一致するときに当たりフラグに「２」がセット（図１３のＳ１６１）されているので（Ｓ２２１でＹＥＳ）、Ｓ２２２にて右内ドラム２１１Ｒをいずれかの方向に約４５°回転するように指示する。これによって右内ドラム２１１Ｒは、貯留位置（図９（ａ）参照）から放出位置（図９（ｂ）参照）に移動して停止するので、貯留部２１ｇに貯留されていた玉Ｂは切欠部２１１ｆからステージ５０へ放出される。そこで、Ｓ２２３にて右内ドラム２１１Ｒの回転停止から２秒間が経過したことを確認した後（Ｓ２２３でＹＥＳ）、Ｓ２２４にて第２大入賞装置１４を開放する。そして、Ｓ２２５にて第２大入賞装置１４の開放から１．８秒間が経過したことを確認した後（Ｓ２２５でＹＥＳ）、Ｓ２２６にて第２大入賞装置１４を閉鎖し、Ｓ２２７にて右内ドラム２１１Ｒをいずれかの方向に約４５°回転するように指示する。これによって右内ドラム２１１Ｒは、放出位置（図９（ｂ）参照）から貯留位置（図９（ａ）参照）に復帰して停止するので、玉Ｂは貯留部２１ｇに貯留可能となる。さらにＳ２２８にて、当たりフラグに「０」をセットしてからリターンする。なお、当たりフラグが「２」にセットされていなければ（Ｓ２２１でＮＯ）、直ちにリターンする。
【００６４】
続いて図１６は小当たり３処理を示す。Ｓ２３１にて当たりフラグに「３」がセットされているかを判定する。左，右外ドラム２１２Ｌ，２１２Ｒの停止図柄がともに小当たり図柄と一致するときに当たりフラグに「３」がセット（図１３のＳ１５９）されているので（Ｓ２３１でＹＥＳ）、Ｓ２３２にて左，右内ドラム２１１Ｌ，２１１Ｒをいずれかの方向に約４５°回転するように指示する。これによって左，右内ドラム２１１Ｌ，２１１Ｒは、貯留位置（図９（ａ）参照）から放出位置（図９（ｂ）参照）に移動して停止するので、貯留部２１ｇに貯留されていた玉Ｂは切欠部２１１ｆからステージ５０へ放出される。そこで、Ｓ２３３にて左，右内ドラム２１１Ｌ，２１１Ｒの回転停止から２秒間が経過したことを確認した後（Ｓ２３３でＹＥＳ）、Ｓ２３４にて第２大入賞装置１４を開放する。そして、Ｓ２３５にて第２大入賞装置１４の開放から１．８秒間が経過したことを確認した後（Ｓ２３５でＹＥＳ）、Ｓ２３６にて第２大入賞装置１４を閉鎖し、Ｓ２３７にて左，右内ドラム２１１Ｌ，２１１Ｒをいずれかの方向に約４５°回転するように指示する。これによって左，右内ドラム２１１Ｌ，２１１Ｒは、放出位置（図９（ｂ）参照）から貯留位置（図９（ａ）参照）に復帰して停止するので、玉Ｂは貯留部２１ｇに貯留可能となる。さらにＳ２３８にて、当たりフラグに「０」をセットしてからリターンする。なお、当たりフラグが「３」にセットされていなければ（Ｓ２３１でＮＯ）、直ちにリターンする。
【００６５】
さらに図１７は大当たり処理を示す。Ｓ３０１にて当たりフラグに「９」がセットされているかを判定する。停止図柄が大当たり図柄と一致するときに当たりフラグに「９」がセット（図１３のＳ１６３）されているので（Ｓ３０１でＹＥＳ）、Ｓ３０２にて大当たりのラウンド数が１５（継続可能ラウンド数）に達しているか否かをチェックする。ラウンド数が１５未満であれば（Ｓ３０２でＹＥＳ）、Ｓ３０３にてラウンド数をインクリメント（＋１）し、Ｓ３０４にて第１大入賞装置１３を開放する。第１大入賞装置１３の開放状態は第１大入賞検出器１１３が入賞可能個数１０個を検知したとき（Ｓ３０５でＹＥＳ）、又は開放状態が２５秒経過したとき（Ｓ３０６でＹＥＳ）に終了し、Ｓ３０７にて第１大入賞装置１３を閉鎖してリターンする。一方、ラウンド数が１５に達しているときには（Ｓ３０２でＮＯ）、Ｓ３０８にてラウンド数をリセットし、Ｓ３０９にて当たりフラグに「０」をセットし、大当たりを終了してリターンする。なお、当たりフラグが「９」でなければ（Ｓ３０１でＮＯ）直ちにリターンする。
【００６６】
このように、内部抽選の結果を報知するための回転ドラム式表示装置２０において、端部ドラム２１Ｌ，２１Ｒを二重構造として内側ドラム２１１Ｌ，２１１Ｒに玉Ｂの貯留部２１ｇとしての新規な機能を備えることにより、遊技者に対して新たな興趣を喚起することができる。そして、ワープルート４０Ｌ，４０Ｒを介して導入した玉Ｂを内側ドラム２１１Ｌ，２１１Ｒの貯留部２１ｇに貯留しておき、小当たりに内部当選したときに、貯留した玉Ｂを切欠部２１１ｆから放出して第２大入賞装置１５に入賞させるので、大当たりの救済手段あるいは補填手段として小当たりを機能させることができる。また、内側ドラム２１１Ｌ，２１１Ｒの個別回転によって切欠部２１１ｆの周方向位置を変更できるので、内側ドラム２１１Ｌ，２１１Ｒの貯留部２１ｇに玉Ｂを貯留する状態と、貯留部２１ｇに貯留された玉Ｂを切欠部２１１ｆからステージ５０に放出する状態とに、容易に切り換えることができる。
【００６７】
（実施例２）
図１８は回転ドラム式表示装置の他の例を示す正面回転軸断面図、図１９はそのうち左ドラムの斜視図、図２０は遊技球のドラムへの貯留状態及びドラムからの放出状態を示す説明図である。
【００６８】
図１８に示す回転ドラム式表示装置（以下、単に表示装置ともいう）３２０には、透光性を有する複数（例えば３個）の円筒状のドラム２１Ｌ，２１Ｃ，２１Ｒが配置され、これらはすべて単一（一重）のドラムで構成されている。左，右ドラム２１Ｌ，２１Ｒの内部には、遊技領域３（図１参照）からワープルート４０Ｌ，４０Ｒを介して導入された玉Ｂを一時的に貯留することのできる貯留部２１ｇがそれぞれ形成されている。そして、各ドラム２１Ｌ，２１Ｃ，２１Ｒは、各ドラム用のステッピングモータ（以下、ドラム用モータともいう）２２Ｌ，２２Ｃ，２２Ｒの出力軸２１ａ（回転軸）に連結されて軸線Ｏ周りに回転する。
【００６９】
具体的には、各ドラム２１Ｌ，２１Ｃ，２１Ｒには、基本構造として、中央のボス部２１ｃから半径方向外側に延びるアーム部２１ｄを介して周縁のリム部２１ｅ（周壁部）が連設されている。アーム部２１ｄはボス部２１ｃとリム部２１ｅとを、周方向に沿って所定の間隔（例えば等間隔）に配置された複数個所（例えば４ヶ所）で連結している。
【００７０】
図１９に示すように、左ドラム２１Ｌは、その外側端面（左側端面）がリム部２１ｅに連設された入口側壁部２１ｂ’（側壁部）で部分的に閉鎖され、その内側端面（右側端面）がリム部２１ｅに連設された出口側壁部２１ｆ’（側壁部）で部分的に閉鎖されて、内部に玉Ｂの貯留部２１ｇが形成されている。左ドラム２１Ｌの外側端面（左側端面）には、入口側壁部２１ｂ’を除く形で、円形状の入口側開口２１ｂが軸線方向に貫通形成されている。左ドラム２１Ｌの内側端面（右側端面）には、出口側壁部２１ｆ’において半径方向外側に向って切り欠かれた切欠部２１ｆ（出口側開口）が、１又は複数（例えば１個）形成されている。なお、左ドラム２１Ｌのリム部２１ｅの内周面は、外側端面（入口側開口２１ｂ）から内側端面（切欠部２１ｆ）に向かうにつれて拡径するテーパ面（拡径面）に形成されている（図１８参照）。また、左ドラム２１Ｌの外周面に配置された複数の図柄には、小当たり図柄を示す「小当」の文字表示２１ｈが含まれていて、左ドラム２１Ｌが小当たり図柄２１ｈで停止表示したときに、切欠部２１ｆは最下位置で停止している（図２０（ｂ）参照）。
【００７１】
さらに、切欠部２１ｆの右側には、その切欠部２１ｆを閉鎖して貯留部２１ｇに玉Ｂを貯留させるための左開閉板２６Ｌ（開閉部）が配置されている。この左開閉板２６Ｌは、図柄変動中に左ドラム２１Ｌが回転しても貯留された玉Ｂが跳び出さないように、切欠部２１ｆに対向して幅広の蓋状に配設されている。また左開閉板２６Ｌは、左開閉板ソレノイド１１９Ｌ（図２１参照）によって上下移動することにより、切欠部２１ｆの閉鎖状態（貯留部２１ｇでの貯留状態）を解除して切欠部２１ｆを開放状態（貯留部２１ｇからの放出状態）とすることができる。なお、左開閉板２６Ｌの移動は、左開閉板ソレノイド１１９Ｌ等のリニア駆動源による往復移動の他、電動モータ等のロータリ駆動源による回転移動によって実施してもよい。
【００７２】
右ドラム２１Ｒは、図１９に示す左ドラム２１Ｌと左右対称に構成されている。したがって、右ドラム２１Ｒの左側にも、右開閉板ソレノイド１１９Ｒ（図２１参照）によって駆動される右開閉板２６Ｒ（開閉部）が同様に配置されている（図１８参照）。
【００７３】
図２０（ａ）に示すように、通常の遊技状態において、左ドラム２１Ｌ（右ドラム２１Ｒ）は、内側端面に形成された切欠部２１１ｆが斜めに位置するように停止し、回転している。ドラム回転中は左開閉板２６Ｌ（右開閉板２６Ｒ）が閉じているので、貯留部２１ｇに貯留されている玉Ｂは切欠部２１１ｆが回転しながら最下位置を通過しても放出されない。したがって、左ワープルート４０Ｌ（右ワープルート４０Ｒ）を介して導入された玉Ｂは貯留部２１ｇに貯留される。図２０（ｂ）に示すように、小当たり状態において、左ドラム２１Ｌ（右ドラム２１Ｒ）は切欠部２１１ｆが最下位置で停止し、左開閉板２６Ｌ（右開閉板２６Ｒ）は上方に退避する。これによって、貯留部２１ｇに貯留された玉Ｂは最下位置の切欠部２１１ｆから放出される。
【００７４】
図２１にこのような表示装置３２０を含むパチンコ遊技機の回路ブロック図を示す。この実施例では、左，右開閉板２６Ｌ，２６Ｒを上下移動するための左，右開閉板ソレノイド１１９Ｌ，１１９Ｒが設けられ、主回路１２０から出力される制御信号によって作動する。なお、表示装置３２０では、左，中，右ドラム２１Ｌ，２１Ｃ，２１Ｒがすべて単一（一重）のドラムで構成されているため、左，中，右ドラム用モータ２２Ｌ，２２Ｃ，２２Ｒ及び左，中，右ドラム用基準位置検出センサ２３Ｌ，２３Ｃ，２３Ｒも３個ずつで構成されている。また、図１８〜図２１（実施例２）において実施例１（図１〜図１０）と共通する機能を有する部分には同一符号を付して説明を省略する。
【００７５】
したがって、本実施例では、実施例１の図１１〜図１７に示すフローチャートのうち、小当たり処理（図１４〜図１６）を図２２〜図２４のように変更して実施すればよい。
【００７６】
図２２は小当たり１処理の変更例を示す。Ｓ２１１にて当たりフラグに「１」がセットされているかを判定する。左ドラム２１Ｌの停止図柄のみが小当たり図柄と一致するときに当たりフラグに「１」がセット（図１３のＳ１５８）されているので（Ｓ２１１でＹＥＳ）、Ｓ２１２’にて左開閉板２６Ｌを上昇するように指示する。これによって左開閉板２６Ｌは、貯留位置（図２０（ａ）参照）から放出位置（図２０（ｂ）参照）に移動して停止するので、貯留部２１ｇに貯留されていた玉Ｂは切欠部２１１ｆからステージ５０へ放出される。なお、このとき左ドラム２１Ｌは切欠部２１１ｆが最下位置で停止している。そこで、Ｓ２１３にて左開閉板２６Ｌの上昇から２秒間が経過したことを確認した後（Ｓ２１３でＹＥＳ）、Ｓ２１４にて第２大入賞装置１４を開放する。そして、Ｓ２１５にて第２大入賞装置１４の開放から１．８秒間が経過したことを確認した後（Ｓ２１５でＹＥＳ）、Ｓ２１６にて第２大入賞装置１４を閉鎖し、Ｓ２１７’にて左開閉板２６Ｌを下降するように指示する。これによって左開閉板２６Ｌは、放出位置（図２０（ｂ）参照）から貯留位置（図２０（ａ）参照）に復帰して停止するので、玉Ｂは貯留部２１ｇに貯留可能となる。さらにＳ２１８にて、当たりフラグに「０」をセットしてからリターンする。なお、当たりフラグが「１」にセットされていなければ（Ｓ２１１でＮＯ）、直ちにリターンする。
【００７７】
図２３は小当たり２処理の変更例を示す。Ｓ２２１にて当たりフラグに「２」がセットされているかを判定する。右ドラム２１Ｒの停止図柄のみが小当たり図柄と一致するときに当たりフラグに「２」がセット（図１３のＳ１６１）されているので（Ｓ２２１でＹＥＳ）、Ｓ２２２’にて右開閉板２６Ｒを上昇するように指示する。これによって右開閉板２６Ｒは、貯留位置（図２０（ａ）参照）から放出位置（図２０（ｂ）参照）に移動して停止するので、貯留部２１ｇに貯留されていた玉Ｂは切欠部２１１ｆからステージ５０へ放出される。なお、このとき右ドラム２１Ｒは切欠部２１１ｆが最下位置で停止している。そこで、Ｓ２２３にて右開閉板２６Ｒの上昇から２秒間が経過したことを確認した後（Ｓ２２３でＹＥＳ）、Ｓ２２４にて第２大入賞装置１４を開放する。そして、Ｓ２２５にて第２大入賞装置１４の開放から１．８秒間が経過したことを確認した後（Ｓ２２５でＹＥＳ）、Ｓ２２６にて第２大入賞装置１４を閉鎖し、Ｓ２２７’にて右開閉板２６Ｒを下降するように指示する。これによって右開閉板２６Ｒは、放出位置（図２０（ｂ）参照）から貯留位置（図２０（ａ）参照）に復帰して停止するので、玉Ｂは貯留部２１ｇに貯留可能となる。さらにＳ２２８にて、当たりフラグに「０」をセットしてからリターンする。なお、当たりフラグが「２」にセットされていなければ（Ｓ２２１でＮＯ）、直ちにリターンする。
【００７８】
図２４は小当たり３処理の変更例を示す。Ｓ２３１にて当たりフラグに「３」がセットされているかを判定する。左，右ドラム２１Ｌ，２１Ｒの停止図柄がともに小当たり図柄と一致するときに当たりフラグに「３」がセット（図１３のＳ１５９）されているので（Ｓ２３１でＹＥＳ）、Ｓ２３２’にて左，右開閉板２６Ｌ，２６Ｒを上昇するように指示する。これによって左，右開閉板２６Ｌ，２６Ｒは、貯留位置（図２０（ａ）参照）から放出位置（図２０（ｂ）参照）に移動して停止するので、貯留部２１ｇに貯留されていた玉Ｂは切欠部２１１ｆからステージ５０へ放出される。なお、このとき左，右ドラム２１Ｌ，２１Ｒは切欠部２１１ｆが最下位置で停止している。そこで、Ｓ２３３にて左，右開閉板２６Ｌ，２６Ｒの上昇から２秒間が経過したことを確認した後（Ｓ２３３でＹＥＳ）、Ｓ２３４にて第２大入賞装置１４を開放する。そして、Ｓ２３５にて第２大入賞装置１４の開放から１．８秒間が経過したことを確認した後（Ｓ２３５でＹＥＳ）、Ｓ２３６にて第２大入賞装置１４を閉鎖し、Ｓ２３７’にて左，右開閉板２６Ｌ，２６Ｒを下降するように指示する。これによって左，右開閉板２６Ｌ，２６Ｒは、放出位置（図２０（ｂ）参照）から貯留位置（図２０（ａ）参照）に復帰して停止するので、玉Ｂは貯留部２１ｇに貯留可能となる。さらにＳ２３８にて、当たりフラグに「０」をセットしてからリターンする。なお、当たりフラグが「３」にセットされていなければ（Ｓ２３１でＮＯ）、直ちにリターンする。
【００７９】
この実施例に示す表示装置３２０では、左，中，右ドラム２１Ｌ，２１Ｃ，２１Ｒがすべて単一（一重）のドラムで構成されているため、配置構成及び作動制御の大幅な簡素化を図ることができる。
【００８０】
以上の説明では、３個のドラムを配置する回転ドラム式表示装置のみを用いたが、１個、２個、あるいは４個以上のドラムを配置する回転ドラム式表示装置を用いてもよい。また、複数のドラムを用いる場合、貯留部２１ｇをそのうちの何個に設けるかは任意に定めることができる。例えば中央役物１０の上部に中間ドラム用のワープルート入口を設ければ、中間のドラムを二重構造にすることもできる。さらに、左，右ワープルート４０Ｌ，４０Ｒを介して端部ドラム２１Ｌ，２１Ｒの貯留部２１ｇに導入する際に、玉Ｂの軸線Ｏ方向の移動速度が十分大きければ、リム部２１ｅの内周面をテーパー面に形成しなくてもよい。
【００８１】
貯留部２１ｇに貯留された玉Ｂを放出するタイミングは、小当たり当選時以外に設定してもよい。例えば、大当たり当選時、大当たり実行中の各ラウンド開始時、前回の大当たり終了後に図柄変動を所定回数実行する毎、等に放出を行なったり、リーチ状態でタイミング設定したりしてもよい。
【００８２】
実施例では、通常状態において貯留部２１ｇに玉Ｂを常時貯留可能としたが、所定条件を満たすときのみ貯留可能としてもよい。例えば、大当たりに当選したときに左，右内ドラム２１１Ｌ，２１１Ｒ（又は左，右ドラム２１Ｌ，２１Ｒ）を図９（ａ）（又は図２０（ａ））の貯留状態に回転して玉Ｂを貯留し、大当たり終了直前に貯留玉Ｂを一斉に放出すれば、最大入賞可能個数（１０個）以上の玉Ｂを第１大入賞装置１３に入賞させることができる。
【図面の簡単な説明】
【００８３】
【図１】本発明に係るパチンコ遊技機の一例を示す正面模式図。
【図２】中央役物の正面図。
【図３】ドラム外周面の図柄配列を示す展開図。
【図４】図２の斜視図。
【図５】図２の正面回転軸断面図。
【図６】左内ドラム及び左外ドラムの斜視図。
【図７】中ドラムの斜視図。
【図８】右内ドラム及び右外ドラムの斜視図。
【図９】図５における遊技球の貯留状態及び放出状態を示す説明図。
【図１０】図１のパチンコ遊技機の回路ブロック図。
【図１１】始動入賞検知処理を示すフローチャート。
【図１２】図１１に続いて図柄の呼出処理を示すフローチャート。
【図１３】図１２における図柄の変動処理のサブルーチンを示すフローチャート。
【図１４】図１２に続いて小当たり１処理を示すフローチャート。
【図１５】図１２に続いて小当たり２処理を示すフローチャート。
【図１６】図１２に続いて小当たり３処理を示すフローチャート。
【図１７】図１２に続いて大当たり処理を示すフローチャート。
【図１８】回転ドラム式表示装置の他の実施例を示す正面回転軸断面図。
【図１９】図１８に示す左ドラムの斜視図。
【図２０】図１８における遊技球の貯留状態及び放出状態を示す説明図。
【図２１】図１８に示す回転ドラム式表示装置を含むパチンコ遊技機の回路ブロック図。
【図２２】図１４に代わる小当たり１処理を示すフローチャート。
【図２３】図１５に代わる小当たり２処理を示すフローチャート。
【図２４】図１６に代わる小当たり３処理を示すフローチャート。
【符号の説明】
【００８４】
１        パチンコ遊技機
３        遊技領域
１０      中央役物
１３      第１大入賞装置（可変入賞装置；大当たり用アタッカー）
１４      第２大入賞装置（可変入賞装置；小当たり用アタッカー）
２０，３２０  回転ドラム式表示装置
２０ａ    表示窓（図柄表示領域）
２１Ｌ，２１Ｃ，２１Ｒ  左，中，右ドラム（ドラム）
２１１Ｌ，２１１Ｒ  左，右内ドラム（内側ドラム）
２１２Ｌ，２１２Ｒ  左，右外ドラム（外側ドラム）
２１ａ    出力軸（回転軸）
２１１ａ  内ドラム用出力軸（回転軸）
２１２ａ  外ドラム用出力軸（回転軸）
２１ｂ    入口側開口
２１ｂ’  入口側壁部（側壁部）
２１１ｂ  内ドラム用入口側開口（入口側開口）
２１２ｂ  外ドラム用入口側開口（入口側開口）
２１ｃ    ボス部
２１ｄ    アーム部
２１ｅ    リム部（周壁部）
２１ｆ    切欠部（出口側開口）
２１ｆ’  出口側壁部（側壁部）
２１１ｆ  切欠部（内ドラム用出口側開口；出口側開口）
２１２ｆ  外ドラム用出口側開口（出口側開口）
２１ｇ    貯留部
２２Ｌ，２２Ｃ，２２Ｒ  左，中，右ドラム用モータ（ステッピングモータ）
２２１Ｌ，２２１Ｒ  左，右内ドラム用モータ（ステッピングモータ）
２２２Ｌ，２２２Ｒ  左，右外ドラム用モータ（ステッピングモータ）
２３Ｌ，２３Ｃ，２３Ｒ  左，中，右ドラム用基準位置検出センサ
２３１Ｌ，２３１Ｒ  左，右内ドラム用基準位置検出センサ
２３２Ｌ，２３２Ｒ  左，右外ドラム用基準位置検出センサ
２４Ｌ，２４Ｃ，２４Ｒ  左，中，右ドラム用バックライト（ＬＥＤ）
２５Ｌ，２５Ｃ，２５Ｒ  左，中，右ドラム用ステー
２６Ｌ，２６Ｒ  左，右開閉板（開閉部）
４０Ｌ，４０Ｒ  左，右ワープルート（玉誘導通路）
５０    ステージ（導出案内部）
５１    第１スロープ（段差部）
５２    第２スロープ（案内部）
Ｂ      玉（遊技球；遊技媒体）
Ｏ      軸線
【図１】
2008054993.tif 000003
【図２】
2008054993.tif 000004
【図３】
2008054993.tif 000005
【図４】
2008054993.tif 000006
【図５】
2008054993.tif 000007
【図６】
2008054993.tif 000008
【図７】
2008054993.tif 000009
【図８】
2008054993.tif 000010
【図９】
2008054993.tif 000011
【図１０】
2008054993.tif 000012
【図１１】
2008054993.tif 000013
【図１２】
2008054993.tif 000014
【図１３】
2008054993.tif 000015
【図１４】
2008054993.tif 000016
【図１５】
2008054993.tif 000017
【図１６】
2008054993.tif 000018
【図１７】
2008054993.tif 000019
【図１８】
2008054993.tif 000020
【図１９】
2008054993.tif 000021
【図２０】
2008054993.tif 000022
【図２１】
2008054993.tif 000023
【図２２】
2008054993.tif 000024
【図２３】
2008054993.tif 000025
【図２４】
2008054993.tif 000026